(57)【特許請求の範囲】
【請求項１】
撮像装置と該撮像装置に着脱可能な撮影レンズとを備える撮像システムであって、
被写体の撮像を行う撮像手段と、
前記撮像手段に入射する光量を調節する絞りと、
前記絞りを駆動させるための１−２相駆動方式のステッピングモータと、
絞った状態の絞り値と静止画撮影のための絞り値との差分を算出する算出手段と、
前記絞りを絞っていて前記ステッピングモータが通電状態であるときに静止画撮影が指示された場合、前記算出手段により算出された差分に応じて前記絞りを駆動させるように制御する制御手段と、
を有することを特徴とする撮像システム。
【請求項２】
前記撮像手段により得られた画像データに基づく画像を表示する表示手段をさらに有し、
前記制御手段は、前記絞りを絞っていて前記表示手段に前記撮像手段により得られた画像データに基づく画像を逐次表示している際に、前記ステッピングモータを通電された状態に制御することを特徴とする請求項１に記載の撮像システム。
【請求項３】
前記制御手段は、前記表示手段に前記撮像手段により得られた画像データに基づく画像を逐次表示し前記絞りを絞った状態で静止画撮影が指示された場合、前記算出手段により算出された差分に応じて前記絞りを駆動させ、静止画撮影後には静止画撮影前の絞り値となるように、前記算出手段により算出された差分に応じて前記絞りを駆動させるように制御することを特徴とする請求項２に記載の撮像システム。
【請求項４】
撮像装置と該撮像装置に着脱可能な撮影レンズとを備える撮像システムであって、
被写体の撮像を行う撮像手段と、
前記撮像手段に入射する光量を調節する絞りと、
前記絞りを駆動させるための１−２相駆動方式のステッピングモータと、
絞った状態の絞り値と静止画撮影のための絞り値との差分を算出する算出手段と、
静止画撮影を行うため以外に前記絞りを絞る際には、前記ステッピングモータが安定位相となる停止位置で前記絞りを停止させてから前記ステッピングモータへの通電を解除し、前記絞りを絞った状態で静止画撮影が指示された場合、前記算出手段により算出された差分に応じて前記絞りを駆動させるように制御する制御手段と、
を有することを特徴とする撮像システム。
【請求項５】
前記撮像手段により得られた画像データに基づく画像を表示する表示手段をさらに有し、
前記制御手段は、前記表示手段に前記撮像手段により得られた画像データに基づく画像を逐次表示しているときに前記絞りを絞る際には、前記ステッピングモータが安定位相となる停止位置で前記絞りを停止させてから前記ステッピングモータへの通電を解除し、前記表示手段に前記撮像手段により得られた画像データに基づく画像を逐次表示し前記絞りを絞った状態で静止画撮影が指示された場合、前記算出手段により算出された差分に応じて前記絞りを駆動させるように制御することを特徴とする請求項４に記載の撮像システム。
【請求項６】
前記制御手段は、静止画撮影を伴わずに前記絞りを絞るように指示された場合、前記ステッピングモータが安定位相となる停止位置で前記絞りを停止させてから前記ステッピングモータへの通電を解除し、前記絞りを絞った状態で静止画撮影が指示された場合、前記算出手段により算出された差分に応じて前記絞りを駆動させるように制御することを特徴とする請求項４に記載の撮像システム。
【請求項７】
１−２相駆動方式のステッピングモータを用いて絞りを駆動させる撮影レンズを着脱可能な撮像装置であって、
絞った状態の絞り値と静止画撮影のための絞り値との差分を算出する算出手段と、
前記絞りを絞っていて前記ステッピングモータが通電状態であるときに静止画撮影が指示された場合、前記算出手段により算出された差分に応じて前記絞りを駆動させるように制御する制御手段を有することを特徴とする撮像装置。
【請求項８】
１−２相駆動方式のステッピングモータを用いて絞りを駆動させる撮影レンズを着脱可能な撮像装置であって、
絞った状態の絞り値と静止画撮影のための絞り値との差分を算出する算出手段と、
静止画撮影を行うため以外に前記絞りを絞る際には、前記ステッピングモータが安定位相となる停止位置で前記絞りを停止させてから前記ステッピングモータへの通電を解除し、前記絞りを絞った状態で静止画撮影が指示された場合、前記算出手段により算出された差分に応じて前記絞りを駆動させるように制御する制御手段を有することを特徴とする撮像装置。
【請求項９】
撮像装置に着脱可能な撮影レンズであって、
絞りと、
前記絞りを駆動させるための１−２相駆動方式のステッピングモータと、を有し、
前記絞りを絞っていて前記ステッピングモータが通電状態であるときに静止画撮影が指示された場合、前記撮像装置によって算出された絞った状態の絞り値と静止画撮影のための絞り値との差分に応じて前記絞りを駆動させることを特徴とする撮影レンズ。
【請求項１０】
撮像装置に着脱可能な撮影レンズであって、
絞りと、
前記絞りを駆動させるための１−２相駆動方式のステッピングモータと、を有し、
接続された撮像装置で静止画撮影を行うため以外に前記絞りを絞る際には、前記ステッピングモータが安定位相となる停止位置で前記絞りを停止させてから前記ステッピングモータへの通電を解除し、前記絞りを絞った状態で前記撮像装置に対して静止画撮影が指示された場合、前記撮像装置によって算出された絞った状態の絞り値と静止画撮影のための絞り値との差分に応じて前記絞りを駆動させることを特徴とする撮影レンズ。
【発明の詳細な説明】
【技術分野】
【０００１】
本発明は、デジタルカメラに関し、特にレンズの絞り駆動に関するものである。
【背景技術】
【０００２】
従来の撮像装置において、例えば特許文献１に記載されたような、１−２相駆動方式のステッピングモータを用いて絞りを駆動させるものがある。
【先行技術文献】
【特許文献】
【０００３】
【特許文献１】特開平１−１６４２５８号公報
【発明の概要】
【発明が解決しようとする課題】
【０００４】
しかしながら、上述の特許文献１に開示されたような１−２相駆動方式のステッピングモータは、コイルへの通電をオフした後にコギングトルクによりロータが安定しない停止位置が存在する。そのため、上述の特許文献１に開示されたような１−２相駆動方式のステッピングモータを用いて絞りを駆動させる場合、絞りの停止位置によってはコイルへの通電をオフすると絞り位置が＋１ステップあるいは−１ステップずれてしまう。そこで、正確に絞り制御を行うために絞りを制御端まで駆動させて停止位置のずれを解消してから所望の停止位置に駆動させる必要がある。
【０００５】
このようにして絞りを制御端まで駆動させてから所望の停止位置に駆動させると、静止画撮影の実行指示があってから実際に静止画撮影が実行されるまでのレリーズタイムラグが長くなってしまう。
【０００６】
本発明は上述した課題に鑑みてなされたものあり、その目的は、１−２相駆動方式のステッピングモータを用いて絞りを駆動させる構成において、絞り駆動による静止画撮影時のレリーズタイムラグを短縮することである。
【課題を解決するための手段】
【０００７】
本発明に係わる撮像システムは、撮像装置と該撮像装置に着脱可能な撮影レンズとを備える撮像システムであって、被写体の撮像を行う撮像手段と、前記撮像手段に入射する光量を調節する絞りと、前記絞りを駆動させるための１−２相駆動方式のステッピングモータと、絞った状態の絞り値と静止画撮影のための絞り値との差分を算出する算出手段と、前記絞りを絞っていて前記ステッピングモータが通電状態であるときに静止画撮影が指示された場合、前記算出手段により算出された差分に応じて前記絞りを駆動させるように制御する制御手段と、を有することを特徴とする。
【０００８】
また、本発明に係わる撮像システムは、撮像装置と該撮像装置に着脱可能な撮影レンズとを備える撮像システムであって、被写体の撮像を行う撮像手段と、前記撮像手段に入射する光量を調節する絞りと、前記絞りを駆動させるための１−２相駆動方式のステッピングモータと、絞った状態の絞り値と静止画撮影のための絞り値との差分を算出する算出手段と、静止画撮影を行うため以外に前記絞りを絞る際には、前記ステッピングモータが安定位相となる停止位置で前記絞りを停止させてから前記ステッピングモータへの通電を解除し、前記絞りを絞った状態で静止画撮影が指示された場合、前記算出手段により算出された差分に応じて前記絞りを駆動させるように制御する制御手段と、
を有することを特徴とする。
【発明の効果】
【０００９】
本発明によれば、１−２相駆動方式のステッピングモータを用いて絞りを駆動させる構成において、絞り駆動による静止画撮影時のレリーズタイムラグを短縮することが可能となる。
【図面の簡単な説明】
【００１０】
【図１】本発明の実施形態のカメラの構成を示すブロック図。
【図２】モードダイヤルスイッチの上面図。
【図３】第１の実施形態におけるカメラの動作を示すフローチャート図。
【図４】レンズの絞り通電処理を示すフローチャート図。
【図５】第１の実施形態におけるカメラの撮影動作を示すフローチャート図。
【図６】Ｔｖ、Ａｖ算出のプログラム線図を示す図。
【図７】従来例のＬＶ時の静止画撮影シーケンスを示す図。
【図８】第１の実施形態のＬＶ時の静止画撮影シーケンスを示す図。
【図９】第２の実施形態におけるカメラの動作を示すフローチャート図。
【図１０】レンズの絞り安定位相検知を示すフローチャート図。
【図１１】第２の実施形態におけるカメラの撮影動作を示すフローチャート図。
【図１２】第３の実施形態におけるカメラの動作を示すフローチャート図。
【図１３】第４の実施形態におけるカメラの撮影動作を示すフローチャート図。
【図１４】第５の実施形態におけるカメラの撮影動作を示すフローチャート図。
【発明を実施するための形態】
【００１１】
以下、本発明の実施形態について図面を参照して詳細に説明する。
【００１２】
（第１の実施形態）
図１は、本発明の第１の実施形態における一眼レフレックスデジタルカメラ（撮像システム）の構成を示す図である。一眼レフレックスデジタルカメラ（以下、カメラという）１００には、カメラ１００に対して着脱可能な撮影レンズ２２０が装着される。
【００１３】
カメラ１００において、主ミラー２は、撮影光路に対し、観察状態で斜めの位置あるいは撮影状態で退避した位置に移動自在である。サブミラー３は、撮影光路に対して斜めに配置され、主ミラー２を透過した光束を、カメラボディの下方に向けて反射し、焦点検出装置６に導く。
【００１４】
シャッター４は撮像素子５の露光時間を制御する。撮像素子５は、ＣＣＤセンサやＣＭＯＳセンサ等から構成される。撮像素子５は、撮影レンズ２２０を通して結像した被写体の光学像を光電変換する。測光センサ７は、主ミラー２で反射した光束の一部を受光し、被写体の輝度信号を測光回路４２に出力する。
【００１５】
Ａ／Ｄ変換器１６は、撮像素子５からのアナログ画像信号をデジタル信号に変換する。タイミング発生回路１８は、撮像素子５、Ａ／Ｄ変換器１６およびＤ／Ａ変換器２６にクロック信号を供給する。タイミング発生回路１８は、メモリ制御回路２２およびシステム制御回路５０により制御される。
【００１６】
画像処理回路２０は、Ａ／Ｄ変換器１６あるいはメモリ制御回路２２からのデジタル画像信号に対し、画素補間処理、色変換処理、ＡＷＢ（オートホワイトバランス）処理等の各種画像処理を行う。焦点検出装置６は、複数の焦点検出エリアを有する位相差検出用のセンサを含む。
【００１７】
システム制御回路５０は、焦点検出装置６の蓄積制御や読み出し制御を行い、周知の位相差検出方式によりデフォーカス量を算出する。システム制御回路５０は、カメラ１００全体の動作やデフォーカス量などから、撮影レンズ２２０のフォーカス駆動や絞り駆動を制御する。また、システム制御回路５０は、図示しない記憶制御機能および表示制御機能を有する。
【００１８】
メモリ制御回路２２は、Ａ／Ｄ変換器１６、タイミング発生回路１８、画像処理回路２０、画像表示メモリ２４、Ｄ／Ａ変換器２６、メモリ３０および圧縮伸長回路３２を制御する。画像処理回路２０からの画像信号あるいはＡ／Ｄ変換器１６からの画像信号は、メモリ制御回路２２を介して画像表示メモリ２４、メモリ３０やシステム制御回路５０に送られる。
【００１９】
画像表示部２８は、ＬＣＤやＴＦＴ等から構成される。画像表示メモリ２４に書き込まれた表示用画像データやカメラの設定メニューなどの画像データは、Ｄ／Ａ変換器２６を介して画像表示部２８に送られ、画像表示部２８に表示される。なお、画像表示部２８に撮像素子５で撮像を行い得られた画像データに基づく画像を逐次表示させることで、いわゆるライブビュー機能を実現できる。メモリ３０は、生成された静止画像などを格納する。また、メモリ３０は、システム制御回路５０の作業領域としても使用される。
【００２０】
圧縮伸長回路３２は、適応離散コサイン変換（ＡＤＣＴ）等により画像データを圧縮伸長する。圧縮伸長回路３２は、メモリ３０に格納された画像データを読み込んで圧縮処理あるいは伸長処理を行い、処理を終えた画像データを再びメモリ３０に書き込む。
【００２１】
露光制御回路４０は、シャッター４を制御するとともに、システム制御回路５０を介して撮影レンズ２２０の絞り２２４も制御する。測光回路４２は、測光センサ７から出力される信号をシステム制御回路５０に出力する。
【００２２】
メモリ５２は、システム制御回路５０の動作用の定数、変数、コンピュータプログラム等のデータを記憶する。不揮発性メモリ５４は、データを電気的に消去・記録可能なメモリである。不揮発性メモリ５４には、ＥＥＰＲＯＭ等が用いられる。
【００２３】
情報出力部５６は、文字、画像、音声等を用いてカメラ１００の動作状態やメッセージ等の情報を出力する。情報出力部５６は、液晶表示素子やスピーカ等から構成される。
【００２４】
モードダイヤルスイッチ６０（図２参照）は、電源のＯＦＦや、撮像モード（ライブビュー（ＬＶ）撮影モード、動画撮影モード、絞り優先モードやプログラムモード等）の切り替えを設定するための操作部材である。シャッタースイッチ６２は、撮影準備スイッチ（ＳＷ１）と撮影開始スイッチ（ＳＷ２）からなる。シャッターボタン（図示せず）の第１ストローク操作（半押し）により、撮影準備スイッチ（ＳＷ１）がＯＮとなり、測光処理（ＡＥ処理）およびＡＦ処理等の撮影準備動作が開始される。さらに、シャッターボタンの第２ストローク操作（全押し）により、撮影開始スイッチ（ＳＷ２）がＯＮとなり、撮影動作が開始される。
【００２５】
ここで、撮影動作には、シャッター４の開閉動作、撮像素子５からの撮像信号に基づいて画像処理回路２０で画像処理を行う動作、およびメモリ制御回路２２を介して画像信号をメモリ３０に書き込む動作が含まれる。また、メモリ３０から画像データを読み出して、圧縮伸長回路３２で圧縮し、記録媒体２００，２１０に記録する動作も含まれる。これら一連の撮影動作は、記録用画像の取得動作とも称される。
【００２６】
記録媒体２００，２１０は、半導体メモリや光ディスク等から構成される。操作部７０は、絞り込みボタンなどの各種操作ボタンやタッチパネル等を含み、カメラ１００の機能選択や各種設定を行うためのメニュー画面の表示や、メニュー項目を決定するために操作される。なお、絞り込みボタンは、撮影前の構図確認中に静止画撮影時の被写界深度を把握できるように、絞り込みボタンが押下されて絞りこみスイッチ（絞りこみＳＷ）がＯＮになると、静止画撮影を伴わずに静止画撮影時の絞り値となるように絞り２２４を駆動させる。
【００２７】
電源制御回路７８は、電池残量の検出を行う電池検出回路、電池からの電源電圧を所定の動作電圧に変換するＤＣ−ＤＣコンバータ、通電するブロックを切り替えるスイッチ回路等を含む。電池８０はカメラ１００に着脱可能である。電池８０内の電源８６には、アルカリ電池やリチウム電池等の一次電池や、ＮｉＭＨ電池、Ｌｉ電池等の二次電池が使用される。コネクタ８２，８４は、電源８６とカメラ１００との電気的接続を行う。
【００２８】
インタフェース９０，９４は、それぞれ記録媒体２００，２１０と通信を行うものである。コネクタ９２，９６は、それぞれ記録媒体２００，２１０に接続される。記録媒体着脱検知器９８は、コネクタ９２，９６に記録媒体２００，２１０がそれぞれ装着されているか否かを検知する。
【００２９】
通信部１１０は、ＲＳ２３２Ｃ、ＵＳＢ、ＩＥＥＥ１３９４、無線通信等の通信機能を有する。コネクタ１１２は、通信部１１０を介してカメラ１００に他の機器を接続するものである。無線通信を行う場合、通信部１１０には、アンテナが接続される。
【００３０】
記録媒体２００，２１０は、それぞれカメラ１００と通信を行うためのインタフェース２０４，２１４、およびカメラ１００と電気的接続を行うコネクタ２０６，２１６を有する。記録部２０２，２１２には、それぞれカメラ１００から出力される圧縮画像データが書き込まれる。
【００３１】
一方、撮影レンズ２２０において、撮像レンズ群１は、複数のレンズから構成され、光軸方向に移動してフォーカス調整を行うフォーカスレンズや、光軸方向に移動して変倍を行うズームレンズを含む。絞り２２４は、撮像素子５に入射する光量を調節する。撮像光学系は、撮像レンズ群１および絞り２２４から構成される。
【００３２】
レンズ駆動回路２２６は、システム制御回路５０からの制御信号に従って、フォーカスレンズ、ズームレンズを駆動するアクチュエータおよび絞り２２４を駆動する１−２相駆動方式の（図示せず）を制御する。更に、絞り２２４のステッピングモータの通電のＯＮ／ＯＦＦや、絞りの停止位置が絞り２２４のステッピングモータの通電をＯＦＦしても変わらない安定位置かどうかの判定も行う。また、レンズ駆動回路２２６は、撮影レンズ動作用の定数、変数、プログラム等を記憶するメモリ機能を備える。その他、レンズ駆動回路２２６は、撮影レンズ固有の番号等の識別情報、管理情報、開放絞り値や最小絞り値、焦点距離等の機能情報、現在や過去の各設定値等を記憶する不揮発メモリの機能も備える。
【００３３】
コネクタ２２８は、カメラ１００の通信接点部４１と接続され、レンズ駆動回路２２６およびシステム制御回路５０間の通信を可能とする。また、コネクタ２２８は、電源８６からの電源電圧を撮影レンズ２２０内に供給する。
【００３４】
図２はモードダイヤルスイッチ６０の上面を示す図である。モードダイヤルスイッチ６０は、電源のＯＦＦ、撮影モードであるＭ（マニュアル）、Ｐ（プログラム）、Ｔｖ（シャッター優先）、Ａｖ（絞り優先）、ＬＶ（ライブビュー撮影）、およびＭＯＶＥ（動画撮影）が選択可能である。モードダイヤルスイッチ６０を回転させることで、これらのモードのうちいずれかのモードを選択することができる。なお、モードダイヤルスイッチ６０を電源オフの位置からその他の位置に回転させることでカメラ１００の電源がＯＮになる。また、上記の撮影モードはあくまで一例であって、上記の撮影モードの一部だけを含んでいていてもよいし、上記以外のモードを含んでいてもよい。
【００３５】
図３は、本実施形態におけるデジタルカメラの撮影処理の手順を示すフローチャートである。本処理は、図１におけるシステム制御回路５０の制御の下に実行される。
【００３６】
図３のＳ１において、システム制御回路５０は、レジスタの初期化やデータの初期化、及び周辺部の初期化等の初期設定を行う。Ｓ２において、システム制御回路５０は、不図示のカメラ設定ボタン（ＭＥＮＵボタン、ＳＥＴボタンなど）やシャッター操作ボタン、メイン電子ダイヤル、サブ電子ダイヤル、モードダイヤルスイッチ等の状態検出を行う。
【００３７】
Ｓ３において、モードダイヤルスイッチ６０が、電源ＯＦＦの状態であれば、Ｓ４へ移行して、カメラの動作を終了させるために、周辺回路への電源ＯＦＦの指示やデータの退避等の終了設定を行い、動作を終了する。電源ＯＦＦでなければ、Ｓ５へ移行する。
【００３８】
Ｓ５において、測光／ＡＦ開始ＳＷがＯＦＦならば、Ｓ６へ移行し、そうでなければＳ７へ移行する。ここでの測光／ＡＦ開始ＳＷは撮影準備スイッチ（ＳＷ１）に対応する。Ｓ６において、各種設定ボタン（不図示）が操作されていないか確認して、操作されている場合は、設定処理を行いＳ２へ戻る。
【００３９】
Ｓ７において、装着された撮影レンズの各種情報を読み取る。撮影レンズ２２０からレンズ情報を取得する際には、システム制御回路５０により撮影レンズ２２０との通信を行い、撮影レンズ２２０のレンズ情報を取得する。レンズ情報には、レンズ固有情報、焦点距離、絞り値、フォーカスレンズ位置などの情報が含まれている。
【００４０】
Ｓ８において、モードダイヤルスイッチ６０が、ＬＶモード（ライブビュー撮影モード）又は、動画モード（動画撮影モード）ならばＳ９へ移行する。そうでなければ、Ｓ１５へ移行する。Ｓ９において、カメラの主ミラー２の位置を検出して、ミラーがダウンしている場合は、ミラーアップとシャッター制御を行い撮像素子５へ被写体の光学像を導く。
【００４１】
Ｓ１０において、撮像素子５の蓄積と読出しを行う。Ｓ１１において、信号補正処理では、読み出した信号に補正処理を行う。Ｓ１２において、信号補正処理した撮像データに基づいて測光演算を行い、所定のプログラム線図（例えば、図６）からＡｖ（絞り値）、Ｔｖ（シャッタースピード）を算出する。
【００４２】
Ｓ１３において、Ｓ１２で算出した絞り値となるように、撮影レンズ２２０と通信を行い、絞り制御の指示と絞り２２４の駆動に用いるステッピングモータのコイルへの通電（以下、絞り通電とする）のＯＮの指示を行う。撮影レンズ２２０では、Ｓ１３でのカメラからの指示に従い、絞り制御と絞り通電の処理を行う。
【００４３】
ここで、図４のレンズ動作のフローチャートにて、絞り通電処理を詳細に説明する。また、このレンズのフローチャートは、レンズ駆動回路２２６の動作プログラムの一部である。
【００４４】
図４のＳ３０１において、通信によりカメラから絞り通電ＯＮの指示があったならば、Ｓ３０２へ移行して、絞り通電ＯＦＦの指示ならば、Ｓ３０４へ移行する。Ｓ３０２において、絞り通電状態を確認して、絞り通電がＯＮ（ステッピングモータが通電された状態）ならばリターンをして処理を終了する。ＯＦＦならば、Ｓ３０３へ移行して、絞り通電をＯＮにしてリターンする。Ｓ３０４において、絞り通電状態を確認して、絞り通電がＯＦＦならばリターンをして、ＯＮならばＳ３０５へ移行して、絞り通電をＯＦＦ（ステッピングモータが通電されていない状態、またはステッピングモータへの通電を解除した状態）にしてリターンする。以上の図４の動作フローで、絞り通電の切り替えが可能となる。
【００４５】
図３に戻って、Ｓ１４において、撮像素子５にて撮像して得られた画像を画像表示部２８に表示して、Ｓ２１へ移行する。
【００４６】
モードダイヤルスイッチ６０が、ＬＶモード又は、動画モードでない場合、Ｓ１５において、カメラの主ミラー２の位置を検出して、ミラーがアップしている場合は、ミラーをダウンする。Ｓ１６において、レンズ情報の絞り情報から、絞り２２４が絞られている状態ならば絞り開放指示をレンズに通知して、絞り２２４を開放にする。絞り２２４を開放にした後は絞り通電ＯＦＦの指示を行う。
【００４７】
Ｓ１７において、被写体に焦点を合わせるために、周知の位相差検出方式による測距演算を行う。Ｓ１８において、Ｓ１７の測距演算によるデータをもとに、レンズ駆動量を算出してレンズを駆動する。Ｓ１９において、測光回路からの出力や設定ＩＳＯ感度、撮影モード等のカメラ設定から、シャッタースピード（撮像素子５の電荷蓄積時間）、絞り値等を決定するための測光演算を行う。Ｓ２０において、測光演算等により求められたシャッタースピード、絞り値等、カメラの情報を画像表示部２８に表示する。
【００４８】
Ｓ２１において、撮影操作ＳＷがＯＮならば、Ｓ２２へ移行し静止画の撮影動作を行い、Ｓ２へ移行する。そうでなければ、Ｓ２へ移行する。
【００４９】
次に、図５の撮影動作フローチャートにより撮影動作について詳細に説明する。Ｓ１０１において、モードダイヤルスイッチ６０が、ＬＶモード又は、動画モードならばＳ１０４へ移行する。そうでなければ、Ｓ１０２へ移行する。Ｓ１０２において、不図示のミラー制御回路に指示を出し、ミラーアップを開始しミラーアップ完了後にＳ１０３に移行する。Ｓ１０３において、シャッター先幕を走行させて、撮像素子５の露光が開始できる状態にする。
【００５０】
Ｓ１０４において、撮影レンズ２２０との通信を行い、撮影レンズ２２０のレンズ情報を取得する。Ｓ１０５において、レンズ情報から現在の絞り値と測光演算で算出した絞り値の差分を算出して、絞り量を決定し、レンズに絞り量を通知して絞りを駆動する。また、絞り通電が行われていなければレンズに絞り通電ＯＮの指示をする。このとき、現在の絞り値は、ＲＡＭに記憶する。
【００５１】
Ｓ１０６において、撮像素子５の蓄積を開始する。ここでは、周知の電子シャッター制御により、蓄積開始が行われる。Ｓ１０７において、測光演算で算出されたＴｖ（シャッタースピード）で、蓄積を終了させる。Ｓ１０８において、シャッターの後幕を走行させる。Ｓ１０９において、不図示のミラー制御回路に指示を出し、ミラーダウンをする。Ｓ１１０において、不図示のモータ制御回路に指示を出し、シャッターとミラーのチャージをする。
【００５２】
Ｓ１１１において、撮影レンズ２２０との通信を行い、Ｓ１０５で記憶した絞り値へ絞り制御を行う。Ｓ１０５で記憶した絞り値が開放の場合は、レンズに絞り通電ＯＦＦの指示を行い、Ｓ１０５で記憶した絞り値が開放でない場合は、絞り通電はＯＮのままにしておく。Ｓ１１２において、撮像素子５の信号読み出し処理を行う。
【００５３】
Ｓ１１３の信号補正処理では、読み出した信号に補正処理を行う。Ｓ１１４の画像圧縮処理では、補正処理後の信号（画像信号）を所定の方法により圧縮する。Ｓ１１５において、ヘッダー情報の作成を行う。Ｓ１１６において、ヘッダー情報や画像信号等から、画像ファイルを作成する。Ｓ１１７において、作成した画像ファイルをハードディスクに書き込み、この撮影動作フローを終了する。
【００５４】
以上説明したように、ライブビューモード又は、動画撮影モードの動作中は、絞りを絞った状態ではレンズの絞り通電をＯＮにしたままとし、静止画撮影が指示された場合は、レンズの絞りを一旦開放にすることなく撮影時の絞り値となるように絞りを駆動させる。そのため、撮影時の絞り値まで絞りを駆動するのに要する時間を短縮できレリーズタイムラグを短縮することができる。
【００５５】
図７、図８で、本実施形態の効果について説明する。図７は、従来のＬＶモード時に静止画撮影された場合の絞り制御を表したものであり、縦軸はレンズの絞り値で、横軸はＬＶモード状態から静止画撮影された場合のシーケンスを示している。
【００５６】
図７の左から、ＬＶモード時に、レンズがＦ２．８で絞りが絞られている場合、ＳＷ２により撮影操作されると絞りは、一旦開放（このレンズの場合は、Ｆ１．４）に駆動される。開放駆動が完了すると次は、静止画撮影の絞り（例では、Ｆ１１）に制御される。
【００５７】
絞りが静止画撮影の絞りになると撮影が開始される。撮影中は、撮影の絞りに固定される。撮影が終了すると絞りは、一旦開放駆動される。開放駆動が完了すると次は、ＬＶモードの絞りに戻される。ＬＶモードの絞りに戻されるとＬＶが開始される。以上のように、絞りを一旦開放駆動させる期間を含めたＳＷ２のＯＮから撮影開始までの期間がレリーズタイムラグとなる。
【００５８】
図８は、本実施形態のＬＶモード時に静止画撮影された場合の絞り制御を表したものである。図８の左から、ＬＶモード時に、レンズがＦ２．８で絞りが絞られている場合、ＳＷ２により撮影操作されると絞りは、Ｆ２．８から静止画撮影の絞り値（例はで、Ｆ１１）に制御される。絞りが静止画撮影のための絞り値になると撮影が開始される。撮影中は、撮影の絞り値に固定される。静止画撮影後には、絞りは静止画撮影時の絞り値から静止画撮影前のＬＶモードの絞り値に戻される。ＬＶモードの絞り値に戻されるとＬＶが開始される。以上のように絞りを一旦開放駆動させる期間がないので静止画撮影の指示から撮影開始までのレリーズタイムラグが短縮される。また、静止画撮影後のＬＶモードへの復帰も絞り開放駆動が無い分短縮される。
【００５９】
（第２の実施形態）
以下、図９、図１０、図１１を参照して、本発明の第２の実施形態について説明する。本実施形態は、構図確認中に静止画撮影時の被写界深度を把握することができる、いわゆる絞りこみ動作を行うときの制御に関する。
【００６０】
本実施形態における一眼レフレックスデジタルカメラの構成は図１、モードダイヤルスイッチ６０は図２、レンズ動作のフローチャートは図４と同様であり、第１の実施形態で説明しているので説明を省略する。
【００６１】
図９は、デジタルカメラによって実行される撮影処理の手順を示すフローチャートである。本処理は、図１におけるシステム制御回路５０の制御の下に実行される。図９のＳ４０１において、システム制御回路５０は、レジスタの初期化やデータの初期化、及び周辺部の初期化等の初期設定を行う。
【００６２】
Ｓ４０２において、システム制御回路５０は、不図示のカメラ設定ボタン（ＭＥＮＵボタン、ＳＥＴボタンなど）やシャッター操作ボタン、メイン電子ダイヤル、サブ電子ダイヤル、モードダイヤルスイッチ、絞り込みスイッチ等の状態検出を行う。
【００６３】
Ｓ４０３において、モードダイヤルスイッチ６０が、電源ＯＦＦの状態であれば、Ｓ４０４へ移行して、カメラの動作を終了させるために、周辺回路への電源ＯＦＦの指示やデータの退避等の終了設定を行い、動作を終了する。電源ＯＦＦでなければ、Ｓ４０５へ移行する。
【００６４】
Ｓ４０５において、測光／ＡＦ／開始ＳＷ及び絞り込みＳＷがＯＦＦならば、Ｓ４０６へ移行し、そうでなければＳ４０７へ移行する。Ｓ４０６において、各種設定ボタン（不図示）が操作されていないか確認して、操作されている場合は、設定処理を行いＳ４０２へ戻る。
【００６５】
Ｓ４０７において、装着された撮影レンズの各種情報を読み取る。撮影レンズ２２０からレンズ情報を取得する際には、システム制御回路５０により撮影レンズ２２０との通信を行い、撮影レンズ２２０のレンズ情報を取得する。レンズ情報には、レンズ固有情報、焦点距離、絞り値、フォーカスレンズ位置などの情報が含まれている。
【００６６】
Ｓ４０８において、絞り込みＳＷがＯＦＦならば、Ｓ４０９へ移行し、そうでなければＳ４１１へ移行する。Ｓ４０９において、レンズの絞りを開放にするように、レンズに絞り通電ＯＮの指示を行いレンズの絞りを開放にする。この時、レンズでは、すでに開放状態の時は絞り通電ＯＮの指示を無視して絞り通電を行わない。なお、すでに開放状態の時はレンズに絞り通電ＯＮの指示を行わないようにしてもよい。そして、Ｓ４１０において、メモリに記憶している絞り込み中フラグであるＳＰＤＮＩＮＧ＝０にすることで、絞り込み中でないことを記憶する。
【００６７】
Ｓ４１１において、ＳＰＤＮＩＮＧ＝１ならば、レンズが絞り込み中なので、測光、測距処理をせずに、Ｓ４２２へ移行する。絞り込み中でなければ、Ｓ４１２へ移行する。Ｓ４１２において、測光回路からの出力や設定ＩＳＯ感度、撮影モード等のカメラ設定から、シャッタースピード、絞り値等を決定するための測光演算を行う。
【００６８】
Ｓ４１３において、絞り込みＳＷがＯＮで静止画撮影を伴わずに絞りを絞るように指示された場合、Ｓ４１４へ移行し、そうでなければＳ４２０へ移行する。Ｓ４１４において、Ｓ４１２により算出された絞り値とレンズの開放絞り値との差を絞り込むようにレンズに通信する。レンズでは、この通信を受信して、ステッピングモータを駆動させ、絞りを駆動する。更に、絞り込んだ後でも、レンズは、ステッピングモータのコイルへの通電を維持し続ける。Ｓ４１５において、レンズとの通信により、絞り安定位相情報を含んだレンズ情報を取得する。
【００６９】
ここで、図１０のレンズ動作のフローチャートにより、Ｓ４１６で行われる絞り安定位相処理について説明する。
【００７０】
図１０のＳ６０１において、絞り助走量を算出する。絞り助走量とは、絞り２２４の開放側の制御端（メカ的にこれ以上開放にできない絞り位置）から開放絞り値に対応する絞り位置に絞りを駆動させるのに必要なステッピングモータのステップ量である。Ｓ６０２において、現在の絞り段数分のステップ量と絞り助走量を加算して、総ステップ量を算出する。Ｓ６０３において、総ステップ量が奇数ステップ数ならば、Ｓ６０４へ移行する。偶数ステップ数ならば、Ｓ６０５へ移行する。Ｓ６０４において、カメラへ総ステップ数だけステッピングモータを駆動させると非安定位相となることを通知して、リターンする。Ｓ６０５において、カメラへ総ステップ数だけステッピングモータを駆動させると安定位相となることを通知して、リターンする。なお、総ステップ数の奇／偶と位相の安定／非安定の関係が逆であれば、総ステップ数と位相の関係とに応じてＳ６０３からの移行先を変更すればよい。
【００７１】
図９のＳ４１６において、レンズ情報により、安定位相でないと判定した場合は、Ｓ４１７へ移行し、Ｓ４１７において、レンズと通信をして、絞りを微小駆動させＳ４１５へ移行する。これにより、安定位相になるまで、絞り動作が繰り返される。Ｓ４１６において、安定位相ならば、Ｓ４１８へ移行する。このとき、絞りを被写界深度が変化しにくいほうに微小駆動させることが望ましい。微小駆動させることで所望の絞り値からずれるため、静止画撮影時の被写界深度を正確に反映できなくなる。しかしながら、被写界深度が変化しにくいほうに微小駆動させることで、静止画撮影時の被写界深度との差を抑制しつつステッピングモータを安定位相にすることができる。このようにステッピングモータが安定位相となるまで絞り駆動を行うので、ステッピングモータへの通電ＯＦＦ後に停止位置がずれることを防止できる。
【００７２】
Ｓ４１８において、絞り駆動をしているステッピングモータへの通電をＯＦＦさせるようにレンズに通信をする。Ｓ４１９において、ＳＰＤＮＩＮＧ＝１にセットし、レンズが絞り込み中であることを記憶し、Ｓ４２２へ移行する。
【００７３】
絞り込みＳＷがＯＦＦの場合、Ｓ４２０において、被写体に焦点を合わせるために、周知の位相差検出方式による測距演算を行う。Ｓ４２１において、Ｓ４２０の測距演算によるデータをもとに、レンズ駆動量を算出してレンズを駆動する。Ｓ４２２において、測光演算等により求められたシャッタースピード、絞り値等、カメラの情報を画像表示部２８に表示する。
【００７４】
Ｓ４２３において、撮影操作ＳＷがＯＮならば、Ｓ４２４へ移行し静止画の撮影動作を行い、Ｓ４０２へ移行する。そうでなければ、Ｓ４０２へ移行する。
【００７５】
ここで、図１１の撮影動作フローチャートにより撮影動作について説明する。図１１のＳ５０１において、不図示のミラー制御回路に指示を出し、ミラーアップを開始しミラーアップ完了後にＳ５０２に移行する。Ｓ５０２において、撮影レンズ２２０との通信を行い、撮影レンズ２２０の絞り情報などレンズ情報を取得する。
【００７６】
Ｓ５０３において、レンズ情報から現在の絞り値と測光演算で算出した絞り値の差分を算出して、絞り量を決定し、レンズに絞り量を通知して絞りを駆動する。絞り駆動後も絞り通電はＯＮのまま継続される。Ｓ５０４において、撮像素子５の蓄積を開始する。Ｓ５０５において、シャッターの先幕を走行させて、撮像素子５の露光を開始させる。Ｓ５０６において、測光演算で算出されたＴｖ（シャッタースピード）で、シャッターの後幕を走行させる。Ｓ５０７において、撮像素子５の蓄積を終了させる。
【００７７】
Ｓ５０８において、不図示のミラー制御回路に指示を出し、ミラーダウンをする。Ｓ５０９において、不図示のモータ制御回路に指示を出し、シャッターとミラーのチャージをする。Ｓ５１０において、撮影レンズ２２０との通信を行い、絞りを開放に制御する。Ｓ５１１において、ＳＰＤＮＩＮＧ＝０にして、絞り込み中でないことを記憶する。
【００７８】
Ｓ５１２において、撮像素子５の信号読み出し処理を行う。Ｓ５１３の信号補正処理では、読み出した信号に補正処理を行う。Ｓ５１４の画像圧縮処理では、補正処理後の信号（画像信号）を所定の方法により圧縮する。Ｓ５１５において、ヘッダー情報の作成を行う。Ｓ５１６において、ヘッダー情報や画像信号等から、画像ファイルを作成する。Ｓ５１７において、作成した画像ファイルをハードディスクに書き込み、この撮影動作フローを終了する。
【００７９】
以上説明したように、絞り込みボタンを押下して静止画撮影時の被写界深度を把握する場合、絞りの停止位置を安定位置に制御して絞り通電をＯＦＦする。そのため、絞り込み中は消費電力を抑えつつ通電ＯＦＦによる絞りの誤差がない状態が保持される。また、絞り込み中から静止画撮影を行う場合は、絞りを一旦開放にすることなく撮影動作を行うので、レリーズタイムラグも短縮できる。
【００８０】
（第３の実施形態）
以下、図１２を参照して、本発明の第３の実施形態について説明する。本実施形態は、ＬＶモード又は動画モード時に絞り２２４の駆動に用いるステッピングモータへの通電をＯＦＦするときの制御に関する。
【００８１】
本実施形態における一眼レフレックスデジタルカメラの構成は図１、モードダイヤルスイッチ６０は図２、レンズ動作のフローチャートは図４と同様であり、第１の実施形態で説明しているので説明を省略する。また、絞り安定位相処理は図１０と同様であり、第２の実施形態で説明しているので説明を省略する。
【００８２】
図１２は、デジタルカメラによって実行される撮影処理の手順を示すフローチャートである。本処理は、図１におけるシステム制御回路５０の制御の下に実行される。図１２のＳ７０１において、システム制御回路５０は、レジスタの初期化やデータの初期化、及び周辺部の初期化等の初期設定を行う。
【００８３】
Ｓ７０２において、システム制御回路５０は、不図示のカメラ設定ボタン（ＭＥＮＵボタン、ＳＥＴボタンなど）やシャッター操作ボタン、メイン電子ダイヤル、サブ電子ダイヤル、モードダイヤルスイッチ、絞り込みスイッチ等の状態検出を行う。
【００８４】
Ｓ７０３において、モードダイヤルスイッチ６０が、電源ＯＦＦの状態であれば、Ｓ７０４へ移行して、カメラの動作を終了させるために、周辺回路への電源ＯＦＦの指示やデータの退避等の終了設定を行い、動作を終了する。電源のＯＦＦでなければ、Ｓ７０５へ移行する。
【００８５】
Ｓ７０５において、測光／ＡＦ／開始ＳＷがＯＦＦならば、Ｓ７０６へ移行し、そうでなければＳ７０７へ移行する。Ｓ７０６において、各種設定ボタン（不図示）が操作されていないか確認して、操作されている場合は、設定処理を行いＳ７０２へ戻る。Ｓ７０７において、装着された撮影レンズの各種情報を読み取る。撮影レンズ２２０からレンズ情報を取得する際には、システム制御回路５０により撮影レンズ２２０との通信を行い、撮影レンズ２２０のレンズ情報を取得する。レンズ情報には、レンズ固有情報、焦点距離、絞り値、フォーカスレンズ位置などの情報が含まれている。
【００８６】
Ｓ７０８において、モードダイヤルスイッチ６０が、ＬＶモード又は、動画モードならばＳ７０９へ移行する。そうでなければ、Ｓ７１８へ移行する。
【００８７】
Ｓ７０９において、カメラの主ミラー２の位置を検出して、ミラーがダウンしている場合は、ミラーアップとシャッター制御を行い撮像素子５へ被写体の光学像を導く。Ｓ７１０において、撮像素子５の蓄積と読出しを行う。Ｓ７１１の信号補正処理では、読み出した信号に補正処理を行う。
【００８８】
Ｓ７１２において、信号補正処理した撮像データに基づいて測光演算を行い、所定のプログラム線図（例えば、図６）からＡｖ（絞り値）、Ｔｖ（シャッタースピード）を算出する。Ｓ７１３において、Ｓ７１２により算出された絞り値とレンズの開放絞り値との差を絞り込むようにレンズに通信する。レンズでは、この通信を受信して、ステッピングモータへの通電をＯＮし、絞りを駆動する。更に、絞り込んだ後でも、レンズは、ステッピングモータへの通電を維持し続ける。Ｓ７１４において、レンズとの通信により、絞り安定位相情報を含んだレンズ情報を取得する。
【００８９】
図１２のＳ７１５において、レンズ情報により、安定位相でないと判定した場合は、Ｓ７１６へ移行し、Ｓ７１６において、レンズと通信をして、絞りを微小駆動させＳ７１４へ移行する。これにより、安定位相になるまで、絞り動作が繰り返される。絞り安定位相処理については第２の実施形態で説明しているので説明を省略する。Ｓ７１５において、安定位相ならば、Ｓ７１７へ移行する。Ｓ７１７において、絞り駆動をしているステッピングモータのコイルへの通電をＯＦＦさせるようにレンズに通信をして、Ｓ７２３へ移行する。
【００９０】
モードダイヤルスイッチ６０がＬＶモード及び動画モードでない場合、Ｓ７１８において、カメラの主ミラー２の位置を検出して、ミラーがアップしている場合は、ミラーをダウンする。Ｓ７１９において、レンズ情報の絞り情報から、レンズの絞りが絞られている状態ならば絞り開放指示をレンズに通知して、ステッピングモータへの通電をＯＮさせてレンズの絞りを開放にする。
【００９１】
Ｓ７２０において、被写体に焦点を合わせるために、周知の位相差検出方式による測距演算を行う。Ｓ７２１において、Ｓ７２０の測距演算によるデータをもとに、レンズ駆動量を算出してレンズを駆動する。Ｓ７２２において、測光回路からの出力や設定ＩＳＯ感度、撮影モード等のカメラ設定から、シャッタースピード、絞り値等を決定するための測光演算を行う。
【００９２】
Ｓ７２３において、測光演算等により求められたシャッタースピード、絞り値等、カメラの情報を表示したり、ＬＶモード又は動画モード時は、撮像素子５にて撮像した画像を画像表示部２８に表示する。
【００９３】
Ｓ７２４において、撮影操作ＳＷがＯＮならば、Ｓ７２５へ移行し静止画の撮影動作を行い、Ｓ７０２へ移行する。そうでなければＳ７０２へ移行する。撮影動作に関しては、図５のフローチャートに沿って動作する。図５に関しては、第１の実施形態で説明しているので、説明を省略する。
【００９４】
以上説明したように、ＬＶモード又は動画モード時は、絞りの停止位置を安定位置に制御して、絞り通電をＯＦＦするので、消費電力を抑えつつ通電ＯＦＦによる絞りの誤差がない状態が保持される。また、ＬＶモード又は動画モード時から撮影操作された場合は、絞りを一旦開放にすることなく撮影時の絞り値となるように駆動させるので、レリーズタイムラグも短縮できる。
【００９５】
（第４の実施形態）
以下、図１３を参照して、本発明の第４の実施形態について説明する。本実施形態は、静止画撮影を連続して行う、いわゆる連写撮影時の制御に関する。
【００９６】
本実施形態における一眼レフレックスデジタルカメラの構成は図１、モードダイヤルスイッチ６０は図２、レンズ動作のフローチャートは図４と同様であり、第１の実施形態で説明しているので説明を省略する。また、図９、図１０は、カメラの動作フローを示すフローチャートは図９、絞り安定位相処理は図１０と同様であり、第２の実施形態で説明しているので説明を省略する。
【００９７】
図１３の撮影動作フローチャートにより撮影動作について説明する。図１３のＳ８０１において、不図示のミラー制御回路に指示を出し、ミラーアップを開始しミラーアップ完了後にＳ８０２に移行する。Ｓ８０２において、撮影レンズ２２０との通信を行い、撮影レンズ２２０の絞り情報などレンズ情報を取得する。Ｓ８０３において、レンズ情報から現在の絞り値と測光演算で算出した絞り値の差分を算出して、絞り量を決定し、レンズに絞り量を通知して絞りを駆動する。絞り通電は、ＯＮのまま継続される。
【００９８】
Ｓ８０４において、撮像素子５の蓄積を開始させる。Ｓ８０５において、シャッターの先幕を走行させて、撮像素子５の露光を開始させる。Ｓ８０６において、測光演算で算出されたＴｖ（シャッタースピード）で、シャッターの後幕を走行させる。Ｓ８０７において、撮像素子５の蓄積を終了させる。
【００９９】
Ｓ８０８において、不図示のミラー制御回路に指示を出し、ミラーダウンをする。Ｓ８０９において、不図示のモータ制御回路に指示を出し、シャッターとミラーのチャージをする。Ｓ８１０において、撮影レンズ２２０との通信を行い、絞りが測光できない絞り値まで絞り込んでいた場合は、測光できる絞り値まで開く。
【０１００】
Ｓ８１１において、撮影シーケンス後に、絞り込みＳＷが押されていた場合に、再度絞り込み動作を行うために、ＳＰＤＮＩＮＧ＝０にする。Ｓ８１２において、被写体に焦点を合わせるために、周知の位相差検出方式による測距演算を行い、測距演算によるデータをもとに、レンズ駆動量を算出してレンズを駆動する。
【０１０１】
Ｓ８１３において、測光回路からの出力や設定ＩＳＯ感度、撮影モード等のカメラ設定から、シャッタースピード、絞り値等を決定するための測光演算を行う。Ｓ８１４において、イメージセンサの信号読み出し処理を行う。Ｓ８１５において、信号補正処理では、読み出した信号に補正処理を行い、所定の方法により画像圧縮処理を行う。
【０１０２】
Ｓ８１６において、ヘッダー情報の作成とヘッダー情報や画像信号等から、画像ファイルを作成する。Ｓ８１７において、作成した画像ファイルをハードディスクに書き込む。Ｓ８１８において、撮影操作ＳＷがＯＮならば、Ｓ８０１へ移行して撮影動作を繰り返し、そうでなければ、終了する。
【０１０３】
以上説明したように、撮影連写中は、絞りを一旦開放にすることなく絞りを駆動させるので、絞り制御に係るレリーズタイムラグの短縮が可能となる。
【０１０４】
（第５の実施形態）
以下、図１４を参照して、本発明の第５の実施形態について説明する。本実施形態は、ＬＶモード又は動画モードにおける連写撮影時の制御に関する。
【０１０５】
本実施形態における一眼レフレックスカメラの構成を示す図は図１、モードダイヤルスイッチ６０は図２、レンズのフローチャートは図５と同様であり、第１の実施形態で説明しているので説明を省略する。カメラの動作フローを示すフローチャートは図１２と同様であり、第３の実施形態で説明しているので、説明を省略する。
【０１０６】
図１４の撮影動作フローチャートにより撮影動作について説明する。Ｓ９０１において、モードダイヤルスイッチ６０が、ＬＶモード又は動画モードならばＳ９０４へ移行する。そうでなければ、Ｓ９０２へ移行する。
【０１０７】
Ｓ９０２において、不図示のミラー制御回路に指示を出し、ミラーアップを開始しミラーアップ完了後にＳ９０３に移行する。Ｓ９０３において、シャッター先幕を走行させて、撮像素子５の露光が開始できる状態にする。Ｓ９０４において、撮影レンズ２２０との通信を行い、撮影レンズ２２０のレンズ情報を取得する。
【０１０８】
Ｓ９０５において、レンズ情報から現在の絞り値と測光演算で算出した絞り値の差分を算出して、絞り量を決定し、レンズに絞り量を通知して絞りを駆動する。また、レンズに絞り通電ＯＮの指示をする。このとき、現在の絞り値は、ＲＡＭに記憶する。
【０１０９】
Ｓ９０６において、撮像素子５の蓄積を開始させる。ここでは、周知の電子シャッター制御により、蓄積開始が行われる。Ｓ９０７において、測光演算で算出されたＴｖ（シャッタースピード）で、蓄積を終了させる。Ｓ９０８において、シャッターの後幕を走行させる。Ｓ９０９において、不図示のミラー制御回路に指示を出し、ミラーダウンをする。Ｓ９１０において、不図示のモータ制御回路に指示を出し、シャッターとミラーのチャージをする。
【０１１０】
Ｓ９１１において、撮影レンズ２２０との通信を行い、絞りが測光できない絞り値まで絞り込んでいた場合は、測光できる絞り値まで開く。Ｓ９１２において、被写体に焦点を合わせるために、周知の位相差検出方式による測距演算を行い、測距演算によるデータをもとに、レンズ駆動量を算出してレンズを駆動する。
【０１１１】
Ｓ９１３において、測光回路からの出力や設定ＩＳＯ感度、撮影モード等のカメラ設定から、シャッタースピード、絞り値等を決定するための測光演算処理を行う。Ｓ９１４において、イメージセンサの信号読み出し処理を行う。
【０１１２】
Ｓ９１５の信号補正処理では、読み出した信号に補正処理を行い、所定の方法により画像圧縮処理を行う。Ｓ９１６において、ヘッダー情報の作成を行い、ヘッダー情報や画像信号等から、画像ファイルを作成する。Ｓ９１７において、作成した画像ファイルをハードディスクに書き込む。Ｓ９１８において、撮影操作ＳＷがＯＮならば、Ｓ９０２へ移行して撮影動作を繰り返し、そうでなければ、終了する。
【０１１３】
以上説明したように、ＬＶモード又は動画モードにおける連写撮影時に、絞りを一旦開放にすることなく絞りを駆動させるので、絞り制御に係るレリーズタイムラグの短縮が可能となる。
【０１１４】
なお、上記の５つの実施形態において、レンズ駆動回路２２６が行う処理の少なくとも一部をシステム制御回路５０が行う構成であってもよい。
【０１１５】
また、上記の５つの実施形態において、システム制御回路５０が行う処理の少なくとも一部をレンズ駆動回路２２６が行う構成であってもよい。
【０１１６】
また、上記の５つの実施形態では、一眼レフレックスデジタルカメラに本発明を適用した場合について説明したが、撮影レンズを内蔵したカメラであってもよい。あるいは、撮影光路に対し、観察状態で斜めの位置あるいは撮影状態で退避した位置に移動自在なミラーがないカメラであってもよい。
【図１】
0005858758.tif 000002
【図２】
0005858758.tif 000003
【図３】
0005858758.tif 000004
【図４】
0005858758.tif 000005
【図５】
0005858758.tif 000006
【図６】
0005858758.tif 000007
【図７】
0005858758.tif 000008
【図８】
0005858758.tif 000009
【図９】
0005858758.tif 000010
【図１０】
0005858758.tif 000011
【図１１】
0005858758.tif 000012
【図１２】
0005858758.tif 000013
【図１３】
0005858758.tif 000014
【図１４】
0005858758.tif 000015